(57)【特許請求の範囲】
【請求項１】
底部に排水口１１を開口した箱体から成る槽体１と、
槽体１の溢れ水を排水する溢れ水流路２と、
排水口１１に連結され、当該排水口１１からの排水を上下方向に排水する本管部６と、
溢れ水流路２の排水を本管部６内に取水する枝管部７と、
から構成されるオーバーフロー装置において、
本管部６と枝管部７の合流部分に合流室８を構成し、
当該合流室８は本管部６の側面から枝管部７へ向けて延出されると共に、
合流室８は、対向する内径部分同士が上面視において平行に連続して本管部６と接続するよう構成し、
枝管部７は合流室８を介して溢れ水流路２の排水を水平方向に排水し、本管部６の側面より流入させ、
上記合流室８は、その通水面積が枝管部７よりも大きく、枝管部７から流入した排水を一時的に貯水可能であることを特徴とするオーバーフロー装置。
【請求項２】
底部に排水口１１を開口した箱体から成る槽体１と、
槽体１の溢れ水を排水する溢れ水流路２と、
排水口１１に連結され、当該排水口１１からの排水を上下方向に排水する本管部６と、
溢れ水流路２の排水を本管部６内に取水する枝管部７と、
から構成されるオーバーフロー装置において、
本管部６と枝管部７の合流部分に合流室８を構成し、
当該合流室８は本管部６の側面から枝管部７へ向けて延出されると共に、
合流室８は、対向する内径部分同士が上面視において縮径しながら本管部６と接続するよう構成し、
枝管部７は合流室８を介して溢れ水流路２の排水を水平方向に排水し、本管部６の側面より流入させ、
上記合流室８は、その通水面積が枝管部７よりも大きく、枝管部７から流入した排水を一時的に貯水可能であることを特徴とするオーバーフロー装置。
【請求項３】
底部に排水口１１を開口した箱体から成る槽体１と、
槽体１の溢れ水を排水する溢れ水流路２と、
排水口１１に連結され、当該排水口１１からの排水を上下方向に排水する本管部６と、
溢れ水流路２の排水を本管部６内に取水する枝管部７と、
から構成されるオーバーフロー装置において、
本管部６と枝管部７の合流部分に合流室８を構成し、
当該合流室８は本管部６の側面から枝管部７へ向けて延出されると共に、
合流室８の形状を、枝管部７の軸方向視時において楕円体とし、
枝管部７は合流室８を介して溢れ水流路２の排水を水平方向に排水し、本管部６の側面より流入させ、
上記合流室８は、その通水面積が枝管部７よりも大きく、枝管部７から流入した排水を一時的に貯水可能であることを特徴とするオーバーフロー装置。
【請求項４】
前記排水口１１に取り付けられる排水栓、
該排水栓外周に位置するように配置される前記本管部６、
から構成するとともに、
前記排水栓は、側面に排水用の孔を開口し、槽体１からの排水と、枝管部７から流入した
本管部６内の排水を下水へと排水するように構成したことを特徴とする前記請求項１乃至
請求項３のいずれか一つに記載のオーバーフロー装置。
【請求項５】
前記本管部６上端に槽体１との取り付け部を構成したことを特徴とする前記請求項１乃至
請求項３のいずれか一つに記載のオーバーフロー装置。
【請求項６】
前記合流室８と枝管部７が別部材で構成されていることを特徴とする前記請求項１乃至請
求項５のいずれか一つに記載のオーバーフロー装置。
【請求項７】
前記合流室８の内壁の形状が、本管部６の軸方向の上面視において、枝管部７の中心軸に
対して非対称の形状となっていることを特徴とする前記請求項１乃至請求項６のいずれか
一つに記載のオーバーフロー装置。
【発明の詳細な説明】
【技術分野】
【０００１】
本発明は、洗面ボウルや流し台、浴槽などの槽体において、槽体内から水が溢れ出ないように溢れ水を下水へと排水するオーバーフロー装置に関するものである。
【背景技術】
【０００２】
従来よく知られたオーバーフロー装置としては、例えば図１３に示したオーバーフロー装置がある。以下に図１３に排水栓と、溢れ水流路と、本管部と枝管部から成るアダプターと、排水トラップと、から構成される。
洗面ボウルは、箱体形状で、底部に排水口、側面にオーバーフロー孔を開口してなり、洗面ボウル内の排水は排水口から排水することとなる。また、水を洗面ボウル内に注ぎ続けていると洗面ボウルから溢れてしまうが、それを防止するためにボウル側面に開口したオーバーフロー孔よりボウル外へと排水することによって、洗面ボウルから排水があふれ出ることを防止するものである。
排水栓は、排水口に取り付けられる部材であって、上端に外側方向に飛び出すフランジを構成した円筒状の部材であって、下部には後記する排水トラップが接続される雄ねじを刻設している。また、排水栓側面には排水窓が開口して構成される。
排水窓は、排水栓の外周に開口された穴であって、溢れ水流路からの排水を、排水栓内に排水させるための開口である。
溢れ水流路は、オーバーフローエルボと、ホースなどの管体から構成される、槽体のオーバーフロー孔からの溢れ水を、排水口側の排水へと排出する部材である。
オーバーフローエルボは、図１３に示すように槽体のオーバーフロー孔の裏面から取り付けられ、内部に槽体の溢れ水である排水が通過する部材である。このオーバーフローエルボは、エルボの断面を一旦拡大させて縮小する形状としている。また、下流には管体が接続される。
管体は、一端をオーバーフローエルボに取り付けるホースなどの管体であり、他端を後記するアダプターの枝管部に接続して、オーバーフロー孔からの排水をアダプターへと排水する。
アダプターは、図１３に示すように、円筒状の本管部を構成し、該本管部を洗面ボウルの排水口裏面から、排水栓と同軸に外周に外嵌するように設けられて配置される。また、溢れ水流路からの排水を内部に流入させる枝管部を、本管部側面から延出して構成する。そして、当該枝管部には溢れ水流路の管体が接続されるので、オーバーフロー孔からの排水と、排水口からの排水とを合流させることができる部材である。
また排水トラップは、内部に封水を貯水して、下水からの臭気や害虫を室内側へ逆流することを防止する部材で、前記排水栓の下端に接続され、管体などを介して最終的には下水管へと排水する。
【０００３】
上記の構成の従来のオーバーフロー装置は以下のように配置・施工される。
洗面ボウルの排水口に、上方から排水栓を通過させ、排水口に排水栓のフランジを係止させる。また、洗面ボウルのオーバーフロー孔に、洗面ボウルの裏面からオーバーフローエルボをビスなどで取付ける。尚、オーバーフローエルボと管体、及び管体とアダプターの枝管部は予め工場などで接着もしくは接続されているものとする。そして、洗面ボウルの裏面から、洗面ボウルの形状に合わせた水密部材を介してアダプターを排水栓と同軸にしつつ排水栓の外周に配置する。そして洗面ボウル裏面から排水栓に三角パッキンを挿入し、排水栓下端の雄ねじにフランジナットを締め付けてゆく。そうすると、排水栓のフランジと、フランジナットによって洗面ボウルの排水口を挟持し、アダプターが排水栓の外周かつ同軸に配置・取付される。その後、排水栓下端の雄ねじに排水トラップを接続させ、排水トラップを管体などで下水管まで配管させることで、オーバーフロー装置の配置・施工は完成する。
【０００４】
上記の構成の従来のオーバーフロー装置では以下のような排水の流れとなる。
槽体内に排水が発生した際には、排水口から排水栓を介して排水トラップへと排水される。その後、下水管へと排水される。
また、槽体から溢れ水が発生した際には、槽体側面のオーバーフロー孔から溢れ水が排出され、溢れ水流路であるオーバーフローエルボ、管体を介してアダプター側へ排水される。アダプター側へ排水された溢れ水は、アダプターの枝管部からアダプター内に流入する。枝管部から流入した溢れ水は本管部内へと流入し、排水栓の排水窓から排水されることとなる。
【先行技術文献】
【特許文献】
【０００５】
【特許文献１】実開昭６２−３８９７６号公報
【特許文献２】特開２０１０−００１６７６号公報
【発明の概要】
【発明が解決しようとする課題】
【０００６】
前記した従来例のオーバーフロー装置では以下のような問題があった。
従来のオーバーフロー装置では、溢れ水の量の問題から、オーバーフロー排水が間に合わなくなり、槽体から溢れ出てしまうといった問題があった。これに対応して、オーバーフローの排水流量をオーバーフローエルボの断面積を変更することにより対応していたが、そもそもオーバーフローエルボ側での調整では、槽体のオーバーフロー孔の開口形状であったり、シャワー吐水などで空気が多量に発生した排水であったりすると、オーバーフローエルボ内の空気が邪魔してサイホンが発生しにくく、また、溢れ水流路内の水深によって水圧のかかる度合いが違うため、サイホンが発生する状況が槽体の形状や、オーバーフロー孔などの、オーバーフローエルボ側の変更だけでは対応できないところがあった。
【０００７】
また、例えば図１４に示す従来例のように、アダプターの枝管部の取り付け位置を、本管部の中心軸からずらして構成した形状変更により排水流量の向上を図った技術もあるが、この技術では、溢れ水流路の排水を本管部内で回転させ、本館内部の自浄作用を向上させるとともに排水流速を高める技術であり、前述したような、槽体のオーバーフロー孔の形状や、溢れ水流路の水深等の形状によって左右されやすいことは変わりなく、結果的にオーバーフローの排水流量向上の根本的な解決にはなっていなかった。
【課題を解決するための手段】
【０００８】
請求項１に記載のオーバーフロー装置は、底部に排水口１１を開口した箱体から成る槽体１と、槽体１の溢れ水を排水する溢れ水流路２と、排水口１１に連結され、当該排水口１１からの排水を上下方向に排水する本管部６と、溢れ水流路２の排水を本管部６内に取水する枝管部７と、から構成されるオーバーフロー装置において、本管部６と枝管部７の合流部分に合流室８を構成し、当該合流室８は本管部６の側面から枝管部７へ向けて延出されると共に、合流室８は、対向する内径部分同士が上面視において平行に連続して本管部６と接続するよう構成し、枝管部７は合流室８を介して溢れ水流路２の排水を水平方向に排水し、本管部６の側面より流入させ、上記合流室８は、その通水面積が枝管部７よりも大きく、枝管部７から流入した排水を一時的に貯水可能であることを特徴とするオーバーフロー装置である。 
【０００９】
請求項２に記載のオーバーフロー装置は、底部に排水口１１を開口した箱体から成る槽体１と、槽体１の溢れ水を排水する溢れ水流路２と、排水口１１に連結され、当該排水口１１からの排水を上下方向に排水する本管部６と、溢れ水流路２の排水を本管部６内に取水する枝管部７と、から構成されるオーバーフロー装置において、本管部６と枝管部７の合流部分に合流室８を構成し、当該合流室８は本管部６の側面から枝管部７へ向けて延出されると共に、合流室８は、対向する内径部分同士が上面視において縮径しながら本管部６と接続するよう構成し、枝管部７は合流室８を介して溢れ水流路２の排水を水平方向に排水し、本管部６の側面より流入させ、上記合流室８は、その通水面積が枝管部７よりも大きく、枝管部７から流入した排水を一時的に貯水可能であることを特徴とするオーバーフロー装置である。
【００１０】
請求項３に記載のオーバーフロー装置は、底部に排水口１１を開口した箱体から成る槽体１と、槽体１の溢れ水を排水する溢れ水流路２と、排水口１１に連結され、当該排水口１１からの排水を上下方向に排水する本管部６と、溢れ水流路２の排水を本管部６内に取水する枝管部７と、から構成されるオーバーフロー装置において、本管部６と枝管部７の合流部分に合流室８を構成し、当該合流室８は本管部６の側面から枝管部７へ向けて延出されると共に、合流室８の形状を、枝管部７の軸方向視時において楕円体とし、枝管部７は合流室８を介して溢れ水流路２の排水を水平方向に排水し、本管部６の側面より流入させ、上記合流室８は、その通水面積が枝管部７よりも大きく、枝管部７から流入した排水を一時的に貯水可能であることを特徴とするオーバーフロー装置である。
【００１３】
請求項４に記載のオーバーフロー装置は、前記排水口１１に取り付けられる排水栓、該排水栓外周に位置するように配置される前記本管部６、から構成するとともに、前記排水栓は、側面に排水用の孔を開口し、槽体１からの排水と、枝管部７から流入した本管部６内の排水を下水へと排水するように構成したことを特徴とする前記請求項０００８乃至請求項００１０のいずれか一つに記載のオーバーフロー装置である。
【００１４】
請求項５に記載のオーバーフロー装置は、前記本管部６上端に槽体１との取り付け部を構成したことを特徴とする前記請求項０００８乃至請求項００１０のいずれか一つに記載のオーバーフロー装置である。
【００１６】
請求項６に記載のオーバーフロー装置は、前記合流室８と枝管部７が別部材で構成されていることを特徴とする前記請求項０００８乃至請求項００１４のいずれか一つに記載のオーバーフロー装置である。
【００１７】
請求項７に記載のオーバーフロー装置は、前記合流室８の内壁の形状が、本管部６の軸方向の上面視において、枝管部７の中心軸に対して非対称の形状となっていることを特徴とする前記請求項１乃至請求項００１６のいずれか一つに記載のオーバーフロー装置である。
【発明の効果】
【００１８】
請求項１に記載の本発明は、本管部６と枝管部７の合流部分に合流室８を構成したことから、オーバーフローエルボ２２側の構造や、オーバーフロー孔１２の形状、また槽体１形状に左右されることがなく、溢れ水流路２の排水流量が向上するようになった。
又、前記枝管部７の横方向の径よりも、合流室８の横方向の径を拡大して構成した、又は枝管部７の上下方向の径よりも合流室８の上下方向の径を拡大して構成したことから、枝管部７の通水面積に対して合流室８の通水面積が拡大することとなり、溢れ水流路２の排水流量が向上するようになった。
請求項１に記載の本発明は、合流室８は、対向する内径部分同士が平行に連続して内壁が構成されていることから、枝管部７の通水面積に対して合流室８の通水面積が拡大することとなり、溢れ水流路２の排水流量が向上するようになった。
請求項２に記載の本発明は、合流室８の形状を、対向する内径部分同士が上面視において縮径しながら本管部６と接続するよう構成されていることから、オリフィス効果により、通水面積が一旦絞られる為、溢れ水流路２の排水流量がより向上するようになった。
請求項４に記載の本発明は、前記排水口１１に取り付けられる、側面に排水用の孔を開口した排水栓５、該排水栓５外周に位置するように配置される前記本管部６、から構成するとともに、前記排水栓５は、槽体１からの排水と、枝管部７から流入した本管部６内の排水を下水へと排水するように構成したことから、枝管部７の通水面積に対して合流室８の通水面積が拡大することとなり、溢れ水流路２の排水流量が向上するようになった。
請求項５に記載の本発明は 、前記本管部６上端に槽体１との取り付け部を構成したことから、槽体１の裏面側から本管部６を取り付けることが出来るようになり、槽体１上面からフランジ部が露出するような取り付け方法を採用しなくてもよくなった。
請求項３に記載の本発明は、前記合流室８の形状を、枝管部７の軸方向視時において楕円体としたことから、合流室８の形状を高さ方向を高くせずに、体積を拡大させることができるようになった。
請求項６に記載の本発明は、前記合流室８と枝管部７が別部材で構成されていることから、本管部６と枝管部７の金型構造上の問題を解決することができる。
請求項７に記載の本発明は、前記合流室８の内壁の形状が、本管部６の軸方向の上面視において、枝管部７の中心軸に対して非対称の形状となっていることから、枝管部７の通水面積に対して合流室８の通水面積が拡大することとなり、溢れ水流路２の排水流量が向上するようになった。
【図面の簡単な説明】
【００１９】
【図１】実施例１の本発明品が取り付けられる洗面ボウルの断面図である。
【図２】実施例１の施工状態を示す断面図である。
【図３】実施例１のアダプターを示す図である。（ａ）図３ｅのＣ−Ｃ断面図である。（ｂ）アダプターの斜視図である。（ｃ）図３ａのＢ−Ｂ断面図である。（ｄ）図３ａのＡ−Ａ断面斜視図である。（ｅ）図３ａのＢ−Ｂ断面図である。（ｆ）枝管部を取り付ける前の斜視図である。
【図４】（ａ）実施例１の取り付け状態時の断面斜視図である。（ｂ）実施例１の取り付け状態時の斜視図である。
【図５】実施例２の排水栓を示す図である。（ａ）排水栓の軸方向上面図である。（ｂ）図５ａのＡ−Ａ断面図である。（ｃ）枝管部を取り付ける前の斜視図である。（ｄ）図５ｂのＢ−Ｂ断面図である。（ｅ）排水栓の斜視図である。
【図６】実施例２の取り付け状態時の断面図である。
【図７】（ａ）実施例２の取り付け状態時の断面斜視図である。（ｂ）実施例２の取り付け状態時の斜視図である。
【図８】実施例３のアダプターを示す図である。（ａ）アダプターの斜視図である。（ｂ）アダプターの枝管部軸方向の断面図である。（ｃ）アダプターの枝管部を取り付ける前の斜視図である。
【図９】実施例３の取り付け状態時の斜視図である。
【図１０】その他の実施例を示すアダプターの図である。（ａ）アダプターの枝管部軸方向の断面図である。（ｂ）アダプターの斜視図である。（ｃ）アダプターの枝管部軸方向の断面斜視図である。
【図１１】その他の実施例を示す取り付け状態時の斜視図である。
【図１２】（ａ）その他の実施例を示すアダプターの枝管部の軸方向断面図である。（ｂ）その他の実施例を示すアダプターの枝管部の軸方向断面図である。
【図１３】従来例を示す断面図である。
【図１４】従来例を示す断面図である。
【発明を実施するための形態】
【実施例１】
【００２０】
以下に図１乃至図４に図示したオーバーフロー装置の実施例を、図面を参照しつつ説明する。
図１乃至図４の実施例のオーバーフロー装置は、洗面台の槽体１に用いられるものである。
この実施例は、槽体１としての洗面ボウル１と、排水栓５と、溢れ水流路２と、本管部６と枝管部７から成るアダプター４と、排水トラップ９と、から構成される。
洗面ボウル１は、箱体形状で、底部に排水口１１、側面にオーバーフロー孔１２を開口してなり、洗面ボウル１内の排水は排水口１１から排水することとなる。また、水を洗面ボウル１内に注ぎ続けていると洗面ボウル１から溢れてしまうが、それを防止するためにボウル側面に開口したオーバーフロー孔１２よりボウル外へと排水することによって、洗面ボウル１から排水があふれ出ることを防止するものである。
排水栓５は、排水口１１に取り付けられ、上端に外側方向に飛び出すフランジを構成した円筒状の部材であって、下部には後記する排水トラップ９が接続される雄ねじを刻設している。また、排水栓５側面には排水窓５３が開口して構成される。
排水窓５３は、排水栓５の外周に開口された穴であって、溢れ水流路２からの排水を、排水栓５内に排水させるための開口である。
溢れ水流路２は、オーバーフローエルボ２２と、ホースなどの管体２３から構成される、槽体１のオーバーフロー孔１２からの溢れ水を、排水口１１側の排水へと排出する部材である。
オーバーフローエルボ２２は、図１に示すように槽体１のオーバーフロー孔１２の裏面から取り付けられ、内部に槽体１の溢れ水である排水が通過する部材である。このオーバーフローエルボ２２は、エルボの断面を一旦拡大させて縮小する形状としている。また、下流には管体２３が接続される。
管体２３は、一端をオーバーフローエルボ２２に取り付けるホースなどの管体２３であり、他端を後記するアダプター４の枝管部７に接続して、オーバーフロー孔１２からの排水をアダプター４へと排水する。
アダプター４は、図３に示すように、本管部６と、枝管部７と、合流室８から構成される。
本管部６は、円筒状であって、排水口１１からの排水に後述する枝管部７からの排水を合流させて下水へと排水させるための部材である。本管部６の円筒部分は、前記排水口１１に取り付けられている排水栓５を槽体１裏面から差し込んで排水栓５に対して外嵌するように配置構成する。
枝管部７は、溢れ水流路２からの排水を本管部６内へと流入するための枝管であって、本管部６の中心軸から側面に向かう方向に延出して構成される。本実施例では枝管部７は本管部６とは別体で構成されており、溢れ水流路２の管体２３が接続される方の端部は管体２３が接続されるために円形状であって、図３（ｅ）のように、合流室８に接続される方の端部は後述する合流室８の楕円又は扁平形状に合致するよう楕円、扁平形状としている。
合流室８は、図３（ａ）のように、本管部６と枝管部７の合流部分に設けられる拡大して構成される空間であって、本実施例では、合流室８の形状を、本管部６との合流室８の合流部分で一旦縮小した上で、枝管部７の横方向の径よりも合流室８の横方向の径を拡大して構成したものである。なお、本実施例では合流室８の軸方向断面視は楕円形状、もしくは扁平形状である。
以上、アダプター４の本管部６、枝管部７、合流室８の形状は以上のようであるから、本管部６の軸方向上面視時、アダプター４の断面は図３（ａ）に示すように、本管部６と合流室８の合流部分が一旦縮小してから接続され、更に、拡大するように構成される。また、合流室８は、枝管部７との接続箇所まで連続して成る傾斜壁によって枝管部７の横方向の径よりも合流室８の横方向の径を拡大して構成される。
排水トラップ９は、内部に封水を貯水して、下水からの臭気や害虫を室内側へ逆流することを防止する部材で、前記排水栓５の下端に接続され、管体２３などを介して最終的には下水管へと排水する。
【００２１】
上記の構成のオーバーフロー装置は以下のように配置・施工される。
工場などで予めアダプター４の合流室８に枝管部７を接着などで接続させておく。また、オーバーフローエルボ２２と管体２３、及び管体２３とアダプター４の枝管部７は予め工場などで接着もしくは接続されているものとする。その後、洗面ボウル１の排水口１１に、上方から排水栓５を通過させ、排水口１１に排水栓５のフランジを係止させる。また、洗面ボウル１のオーバーフロー孔１２に、洗面ボウル１の裏面からオーバーフローエルボ２２をビス５２などで取付ける。そして、洗面ボウル１の裏面から、洗面ボウル１の形状に合わせた水密部材を介してアダプター４を排水栓５と同軸にしつつ排水栓５の外周に配置する。そして洗面ボウル１裏面から排水栓５に三角パッキンを挿入し、排水栓５下端の雄ねじにフランジナットを締め付けてゆく。そうすると、排水栓５のフランジと、フランジナットによって洗面ボウル１の排水口１１周縁が挟持され、アダプター４が排水栓５の外周かつ同軸に配置・取付される。その後、排水栓５下端の雄ねじに排水トラップ９を接続させ、排水トラップ９を管体２３などで下水管まで配管させることで、オーバーフロー装置の配置・施工は完成する。（図４（ａ）、図４（ｂ）参照）
【００２２】
上記の構成の従来のオーバーフロー装置では以下のような排水の流れとなる。
槽体１内に排水が発生した際には、排水口１１から排水栓５を介して排水トラップ９へと排水される。その後、下水管へと排水される。
また、槽体１から溢れ水が発生した際には、槽体１側面のオーバーフロー孔１２から溢れ水が排出され、溢れ水流路２であるオーバーフローエルボ２２、管体２３を介してアダプター４側へ排水される。アダプター４側へ排水された溢れ水は、アダプター４の枝管部７からアダプター４内に流入する。枝管部７から流入した溢れ水は合流室８を介して本管部６内へと流入し、排水栓５の排水窓５３から排水トラップ９側へと排水されることとなる。
枝管部７からアダプター４内部に流入した排水は、合流室８内で排水を一旦貯水できること、また、枝管部７の通水部分の断面積と比較して合流室８の通水部分の断面積が大きいため、オーバーフローからの排水流量が向上するものである。
【実施例２】
【００２３】
以下に第二実施例のオーバーフロー装置の実施例を、図面を参照しつつ説明する。
図５乃至図７の実施例のオーバーフロー装置は、洗面台の槽体１に用いられるものである。
この実施例は、槽体１としての洗面ボウル１と、溢れ水流路２と、本管部６と枝管部７から成る排水栓５と、排水トラップ９と、から構成される。
洗面ボウル１は、箱体形状で、底部に排水口１１、側面にオーバーフロー孔１２を開口してなり、洗面ボウル１内の排水は排水口１１から排水することとなる。また、水を洗面ボウル１内に注ぎ続けていると洗面ボウル１から溢れてしまうが、それを防止するためにボウル側面に開口したオーバーフロー孔１２よりボウル外へと排水することによって、洗面ボウル１から排水があふれ出ることを防止するものである。
溢れ水流路２は、オーバーフローエルボ２２と、ホースなどの管体２３から構成される、槽体１のオーバーフロー孔１２からの溢れ水を、排水口１１側の排水へと排出する部材である。
オーバーフローエルボ２２は、図１に示すように槽体１のオーバーフロー孔１２の裏面から取り付けられ、内部に槽体１の溢れ水である排水が通過する部材である。このオーバーフローエルボ２２は、エルボの断面を一旦拡大させて縮小する形状としている。また、下流には管体２３が接続される。
管体２３は、一端をオーバーフローエルボ２２に取り付けるホースなどの管体２３であり、他端を後記するアダプター４の枝管部７に接続して、オーバーフロー孔１２からの排水をアダプター４へと排水する。
排水栓５は、図５（ａ）に示すように、本管部６と、枝管部７と、合流室８から構成される。
本管部６は、円筒状であって、排水口１１からの排水及び後述する枝管部７からの排水を合流させて下水へと排水させるための部材である。本管部６の上端には、外側方向に向かって延出するフランジを構成し、さらには当該フランジには取り付け部５１としてのビス孔５１を複数開口して成る。該排水栓５は、槽体１であるボウルの排水口１１裏面側に構成されるビス孔５１に排水栓５フランジのビス孔５１に合致させ、ビス５２でフランジを挟むように螺合させることによって排水栓５をボウルに取り付けることが出来る。
枝管部７は、溢れ水流路２からの排水を本管部６内へと流入するための枝管であって、本管部６の中心から側面に向かう方向に延出して構成される。本実施例では枝管部７は本管部６とは別体で構成されており、溢れ水流路２の管体２３が接続される方の端部は管体２３が接続されるために円形状であって、合流室８に接続される方の端部は後述する合流室８の楕円又は扁平形状に合致するよう楕円、扁平形状としている。
合流室８は、図５（ｄ）のように本管部６と枝管部７の合流部分に設けられる拡大して構成される空間であって、本実施例では、合流室８の形状を、本管部６の軸方向視時において、本管部６の対向する内壁同士の径が最大となる箇所を起点とする枝管部７に至るまでの内壁を、対向する内壁同士の径が平行して連続する壁として合流室８の内壁を構成している。結果的に、本管部６の上面視時、本管部６から枝管部７にかけての合流室８の対峙する側壁は、平行となる形状である。
以上、排水栓５の本管部６、枝管部７、合流室８の形状は以上のようであるから、本管部６の軸方向上面視時、排水栓５の断面は図５（ｄ）に示すように、本管部６の上面視時、本管部６から枝管部７にかけての合流室８の対峙する側壁は、平行となる形状で構成される。また、合流室８は、枝管部７との接続箇所まで連続して成る内壁によって枝管部７の横方向の径よりも合流室８の横方向の径を拡大して構成され、尚かつ枝管部７の縦方向の径よりも合流室８の縦方向の径を拡大して構成している。
排水トラップ９は、内部に封水を貯水して、下水からの臭気や害虫を室内側へ逆流することを防止する部材で、前記排水栓５の下端に接続され、管体２３などを介して最終的には下水管へと排水する。
【００２４】
上記の構成のオーバーフロー装置は以下のように配置・施工される。
工場などで予め排水栓５の合流室８に枝管部７を接着などで接続させておく。また、オーバーフローエルボ２２と管体２３、及び管体２３と排水栓５の枝管部７は予め工場などで接着もしくは接続されているものとする。その後、洗面ボウル１の排水口１１に、上方から排水栓５を通過させ、排水口１１に排水栓５のフランジを係止させる。また、洗面ボウル１のオーバーフロー孔１２に、洗面ボウル１の裏面からオーバーフローエルボ２２をビス５２などで取付ける。そして、洗面ボウル１の裏面から、洗面ボウル１の形状に合わせた水密部材を介して洗面ボウル１裏面から排水栓５のフランジのビス孔５１とボウルのビス孔５１を合致させ、ビス５２で螺合させて排水栓５をボウルに取り付ける。その後、排水栓５下端の雄ねじに排水トラップ９を接続させ、排水トラップ９を管体２３などで下水管まで配管させることで、オーバーフロー装置の配置・施工は完成する（図６）。
【００２５】
上記の構成の従来のオーバーフロー装置では以下のような排水の流れとなる。
槽体１内に排水が発生した際には、排水口１１から排水栓５を介して排水トラップ９へと排水される。その後、下水管へと排水される。
また、槽体１から溢れ水が発生した際には、槽体１側面のオーバーフロー孔１２から溢れ水が排出され、溢れ水流路２であるオーバーフローエルボ２２、管体２３を介して排水栓５側へ排水される。排水栓５側へ排水された溢れ水は、排水栓５の枝管部７から排水栓５内に流入する。枝管部７から流入した溢れ水は合流室８を介して本管部６内へと流入し、排水トラップ９側へと排水されることとなる。
枝管部７から排水栓５内部に流入した排水は、合流室８内で排水を一旦貯水できること、また、枝管部７の通水部分の断面積と比較して合流室８の通水部分の断面積が大きいため、オーバーフローからの排水流量が向上するものである。
【実施例３】
【００２６】
以下に第三実施例のオーバーフロー装置の実施例を、図面を参照しつつ説明する。
図８乃至図９の実施例のオーバーフロー装置は、洗面台の槽体１に用いられるものである。
この実施例は、槽体１としての洗面ボウル１と、排水栓５と、溢れ水流路２と、本管部６と枝管部７から成るアダプター４と、排水トラップ９と、から構成される。
洗面ボウル１は、箱体形状で、底部に排水口１１、側面にオーバーフロー孔１２を開口してなり、洗面ボウル１内の排水は排水口１１から排水することとなる。また、水を洗面ボウル１内に注ぎ続けていると洗面ボウル１から溢れてしまうが、それを防止するためにボウル側面に開口したオーバーフロー孔１２よりボウル外へと排水することによって、洗面ボウル１から排水があふれ出ることを防止するものである。
排水栓５は、排水口１１に取り付けられ、上端に外側方向に飛び出すフランジを構成した円筒状の部材であって、下部には後記する排水トラップ９が接続される雄ねじを刻設している。また、排水栓５側面には排水窓５３が開口して構成される。
排水窓５３は、排水栓５の外周に開口された穴であって、溢れ水流路２からの排水を、排水栓５内に排水させるための開口である。
溢れ水流路２は、オーバーフローエルボ２２と、ホースなどの管体２３から構成される、槽体１のオーバーフロー孔１２からの溢れ水を、排水口１１側の排水へと排出する部材である。
オーバーフローエルボ２２は、図１に示すように槽体１のオーバーフロー孔１２の裏面から取り付けられ、内部に槽体１の溢れ水である排水が通過する部材である。このオーバーフローエルボ２２は、エルボの断面を一旦拡大させて縮小する形状としている。また、下流には管体２３が接続される。
管体２３は、一端をオーバーフローエルボ２２に取り付けるホースなどの管体２３であり、他端を後記するアダプター４の枝管部７に接続して、オーバーフロー孔１２からの排水をアダプター４へと排水する。
アダプター４は、図８（ａ）に示すように、本管部６と、枝管部７と、合流室８から構成される。
本管部６は、円筒状であって、排水口１１からの排水に後述する枝管部７からの排水を合流させて下水へと排水させるための部材である。本管部６の円筒部分は、前記排水口１１に取り付けられている排水栓５を槽体１裏面から差し込んで排水栓５に対して外嵌するように配置構成する。
枝管部７は、溢れ水流路２からの排水を本管部６内へと流入するための枝管であって、本管の中心から側面に向かう方向に延出して構成される。本実施例では枝管部７は本管部６とは別体で構成されており、溢れ水流路２の管体２３が接続される方の端部は管体２３が接続されるために円形状であって、合流室８に接続される方の端部は後述する合流室８の楕円又は扁平形状に合致するよう楕円、扁平形状としている。
合流室８は、本管部６と枝管部７の合流部分に設けられる拡大して構成される空間であって、本実施例では、合流室８の形状を、前記本管部６の軸方向視時において、本管部６の対向する内壁同士の径が最大となる箇所を起点とする枝管部７に至るまでの内壁を、対向する内壁同士の径が傾斜して接続する連続する壁として合流室８の内壁を構成したものである。なお、本実施例では合流室８の軸方向断面視は楕円形状、もしくは扁平形状である。
以上、アダプター４の本管部６、枝管部７、合流室８の形状は以上のようであるから、本管部６の軸方向上面視時、アダプター４の断面は図８（ｂ）に示すように、本管部６と合流室８の合流部分は本管部６の最大径の部分を起点とし、対峙する内壁同士が傾斜して拡大するように構成される。また、合流室８は、枝管部７との接続箇所まで連続して成る傾斜壁によって枝管部７の横方向の径よりも合流室８の横方向の径を拡大して構成する。
排水トラップ９は、内部に封水を貯水して、下水からの臭気や害虫を室内側へ逆流することを防止する部材で、前記排水栓５の下端に接続され、管体２３などを介して最終的には下水管へと排水する。
【００２７】
上記の構成のオーバーフロー装置は以下のように配置・施工される。
工場などで予めアダプター４の合流室８に枝管部７を接着などで接続させておく。また、オーバーフローエルボ２２と管体２３、及び管体２３とアダプター４の枝管部７は予め工場などで接着もしくは接続されているものとする。その後、洗面ボウル１の排水口１１に、上方から排水栓５を通過させ、排水口１１に排水栓５のフランジを係止させる。また、洗面ボウル１のオーバーフロー孔１２に、洗面ボウル１の裏面からオーバーフローエルボ２２をビス５２などで取付ける。そして、洗面ボウル１の裏面から、洗面ボウル１の形状に合わせた水密部材を介してアダプター４を排水栓５と同軸にしつつ排水栓５の外周に配置する。そして洗面ボウル１裏面から排水栓５に三角パッキンを挿入し、排水栓５下端の雄ねじにフランジナットを締め付けてゆく。そうすると、排水栓５のフランジと、フランジナットによって洗面ボウル１の排水口１１周縁が挟持され、アダプター４が排水栓５の外周かつ同軸に配置・取付される。その後、排水栓５下端の雄ねじに排水トラップ９を接続させ、排水トラップ９を管体２３などで下水管まで配管させることで、オーバーフロー装置の配置・施工は完成する。
【００２８】
上記の構成の従来のオーバーフロー装置では以下のような排水の流れとなる。
槽体１内に排水が発生した際には、排水口１１から排水栓５を介して排水トラップ９へと排水される。その後、下水管へと排水される。
また、槽体１から溢れ水が発生した際には、槽体１側面のオーバーフロー孔１２から溢れ水が排出され、溢れ水流路２であるオーバーフローエルボ２２、管体２３を介してアダプター４側へ排水される。アダプター４側へ排水された溢れ水は、アダプター４の枝管部７からアダプター４内に流入する。枝管部７から流入した溢れ水は合流室８を介して本管部６内へと流入し、排水栓５の排水窓５３から排水トラップ９側へと排水されることとなる。
枝管部７からアダプター４内部に流入した排水は、合流室８内で排水を一旦貯水できること、また、枝管部７の通水部分の断面積と比較して合流室８の通水部分の断面積が大きいため、オーバーフローからの排水流量が向上するものである。
【００２９】
前記した実施例のほか、特許請求の範囲を越えない範囲で適宜変更は可能である。
例えば、図１０及び図１１に示したように、アダプター４を用いた本管部６と枝管部７に、合流室８の対峙する内壁を平行に構成してもかまわない。
また、前記実施例では枝管部７を本管部６とは別パーツとしたが、一体型の構成としてもかまわない。
また、前記実施例では本管部６と合流室８を一体的に構成しているが、別体で構成してもかまわない。
また、上記実施例では、本管部６の中心方向から側面方向に向かって延出して構成されているが、例えば図１２（ａ）に示したように、枝管部７の構成箇所を、本管部６の軸方向上面視の中心軸から偏芯して、本管部６の側面に沿うように向かって延出して構成されるように枝管部７を構成してもかまわない。このように構成すれば、排水の流速が向上し、本管部６内に旋回流が発生して本管部６内の自掃性が向上すると共に、溢れ水の排水流量が向上する。
また、上記実施例では、本管部６の上面視時、側壁が左右対称形状となっているが、例えば図１２（ｂ）に示したように、左右非対称の形状になってもかまわない。
【符号の説明】
【００３０】
１    槽体（洗面ボウル）
１１  排水口
１２  オーバーフロー孔
２    溢れ水流路
２２  オーバーフローエルボ
２３  管体
４    アダプター
５    排水栓
５１  ビス孔
５２  ビス
５３  排水窓
６    本管部
７    枝管部
８    合流室
９    排水トラップ
【図１】
0006303087.tif 000002
【図２】
0006303087.tif 000003
【図３】
0006303087.tif 000004
【図４】
0006303087.tif 000005
【図５】
0006303087.tif 000006
【図６】
0006303087.tif 000007
【図７】
0006303087.tif 000008
【図８】
0006303087.tif 000009
【図９】
0006303087.tif 000010
【図１０】
0006303087.tif 000011
【図１１】
0006303087.tif 000012
【図１２】
0006303087.tif 000013
【図１３】
0006303087.tif 000014
【図１４】
0006303087.tif 000015